(57)【要約】【課題】本柱を傾斜した支柱によって確実に支持する電柱支持装置を提供する。【解決手段】電柱支持装置１０は、第１取り付け具１、第２取り付け具２、及びボルト３を備える。第１取り付け具１は本柱Ｐｂの上部側に取り付け、第２取り付け具２は支柱Ｐｓの先端部側に取り付ける。ボルト３は、第１取り付け具１と第２取り付け具２とを連結する。第２取り付け具２は、一対の帯状の第２バンド部材２０・２１と第２連結枠体２２で構成する。一方の第２バンド部材２０と支柱Ｐｓの外周との間に配置される板ナット２０ｎを設け、一方の第２バンド部材２０を挟持するように、板ナット２０ｎにボルト２０ｖを締結し、ボルト２０ｖのねじ部が支柱Ｐｓの先端部側に設けた腕金取り付け用の貫通穴４ｈに挿入することにより、支柱Ｐｓに対して第２取り付け具２の緩みを防止できる。そして、電柱である本柱Ｐｂを傾斜した支柱Ｐｓによって確実に支持できる。【選択図】図１
2012149470.tif 000002
【特許請求の範囲】
【請求項１】
電柱である本柱を傾斜した支柱によって支持する電柱支持装置であって、
前記本柱の上部側に取り付けられる第１取り付け具と、
前記支柱の先端部側に取り付けられる第２取り付け具と、
前記第１取り付け具と前記第２取り付け具とを連結する連結部材と、を備え、
前記第１取り付け具は、
前記本柱の外周を包囲するように締結する一対の帯状の第１バンド部材と、
これらの第１バンド部材に連結するＣ形チャンネル状の第１連結枠体と、を有し、
前記第２取り付け具は、
前記支柱の外周を包囲するように締結する一対の帯状の第２バンド部材と、
これらの第２バンド部材に連結するＣ形チャンネル状の第２連結枠体と、
一方の前記第２バンド部材と前記支柱の外周との間に配置される板ナットと、
この板ナットに締結するボルトと、を有し、
一方の前記第２バンド部材は、その長手方向に沿って、前記ボルトのねじ部が挿入可能な長穴を幅方向の中央部に有し、
前記板ナットは、
中央部に設けられ、前記ボルトのねじ部が螺合可能な雌ねじ部と、
一方の前記第２バンド部材の幅方向の両端縁に嵌合すると共に、一方の面の両翼に突出する一対の段差と、を有し、
一方の前記第２バンド部材を挟持するように、前記板ナットに前記ボルトを締結した状態では、前記ボルトのねじ部は、前記板ナットの他方の面から突出して、前記支柱の先端部側に設けた腕金取り付け用の貫通穴に挿入されている電柱支持装置。
【請求項２】
前記板ナット及び前記ボルトをそれぞれ二つ有し、
前記支柱の軸中心を間に対向するように、一対の前記板ナットを配置し、
一方の前記第２バンド部材を挟持するように、前記板ナットに前記ボルトを締結した状態では、前記ボルトのねじ部は、前記板ナットの他方の面から突出して、前記貫通穴の両端部側から挿入されている請求項１記載の電柱支持装置。
【請求項３】
前記ボルトの頭部の座面の直径は、一方の前記第２バンド部材の幅と略同じになっている請求項１又は２記載の電柱支持装置。
【請求項４】
前記ボルトの頭部の座面が接触する、一方の前記第２バンド部材の一方の面は、摩擦係数の大きい粗面加工が施されている請求項１から３のいずれかに記載の電柱支持装置。
【請求項５】
一方の前記第２バンド部材は、
前記支柱の半周面を囲うように中央部が円弧状に湾曲した締付バンドと、
この締付バンドの両端部側に形成され、相反する向きに屈曲した第１把持片にねじ部材とナットで締結される一対の連結バンドと、を有し、
この連結バンドは、
一端部側に形成され、前記第１把持片に締結される第２把持片と、
他端部側に環状に形成され、前記第２連結枠体と軸ピンで連結するループ片と、を設けている請求項１から４のいずれかに記載の電柱支持装置。
【発明の詳細な説明】
【技術分野】
【０００１】
本発明は、電柱支持装置に関する。特に、電柱である本柱を傾斜した支柱によって支持する電柱支持装置の構造に関する。
【背景技術】
【０００２】
一般に、電柱は、地上に設置され、電線・ケーブル類を架設している。この場合、電柱である本柱が電線などの張力で倒れないように、本柱を傾斜した支柱によって支持することがある。
【０００３】
図９は、電柱である本柱を傾斜した支柱によって支持した一例を示す配置図である。図９を参照すると、電柱である本柱Ｐｂは、地面ＧＮＤに対して略垂直に立設している。本柱Ｐｂの上部には、例えば、腕金９ａを固定している。腕金９ａには、図示しない碍子を介して電線（図示せず）を架設している。そして、本柱Ｐｂは、傾斜した支柱Ｐｓによって支持されている。
【０００４】
図９を参照すると、支柱Ｐｓは、その基端部を地中に埋設している。又、支柱Ｐｓの先端部は、電柱支持装置９０を介して、本柱Ｐｂの上部側に固定している。そして、本柱Ｐｂは、電線などの張力で倒れないように、傾斜した支柱Ｐｓによって補強されている。
【０００５】
図１０は、図９の要部拡大図であり、従来の電柱支持装置の構成を示す正面図である。図１０を参照すると、従来の電柱支持装置９０は、本柱Ｐｂに取り付けた本柱側取り付け具９１と支柱Ｐｓに取り付けた支柱側取り付け具９２とで構成している。
【０００６】
図１０を参照すると、本柱側取り付け具９１は、一対の帯状のバンド部材９１ａ・９１ａとＣ形チャンネル状の連結枠体９１ｂとで構成している。バンド部材９１ａは、本柱Ｐｂの外周をその両側から囲うように、中央部が円弧状に湾曲した一対の締付バンド片とで構成している。そして、これらの締付バンド片の一端部は、ボルトとナットで締結されている。又、これらの締付バンド片の他端部は、連結枠体９１ｂの両側面（連結枠体９１ｂの側部片）に着脱自在に固定されている。
【０００７】
一方、図１０を参照すると、連結枠体９１ｂは、本柱Ｐｂの外周に部分的に当接する中央部片９１１と、中央部片９１１の両翼が直角に折り曲げられた一対の側部片９１２・９１２とで構成している（図１１（Ａ）参照）。そして、これらの側部片９１２・９１２の先端部側には、後述する連結枠体９２ｂとボルト部材で連結する係合穴を開口している。
【０００８】
図１０を参照すると、支柱側取り付け具９２は、一対の帯状のバンド部材９２ａ・９２ａとＣ形チャンネル状の連結枠体９２ｂとで構成している。バンド部材９２ａは、支柱Ｐｓの外周をその両側から囲うように、中央部が円弧状に湾曲した一対の締付バンド片で構成している。そして、これらの締付バンド片の一端部は、ボルトとナットで締結されている。又、これらの締付バンド片の他端部は、連結枠体９２ｂの両側面（連結枠体９２ｂの側部片）に着脱自在に固定されている。
【０００９】
一方、図１０を参照すると、連結枠体９２ｂは、支柱Ｐｓの外周に部分的に当接する中央部片９２１と、この中央部片の両翼が直角に折り曲げられた一対の側部片９２２・９２２とで構成している（図１１（Ａ）参照）。これらの側部片９２２・９２２の先端部側には、連結枠体９１ｂとボルト部材で連結する係合穴を開口している。そして、連結枠体９１ｂの係合穴と連結枠体９２ｂの係合穴とにボルト部材が挿通され、このボルト部材にナットが締結されることにより、電柱支持装置９０は、本柱Ｐｂを傾斜した支柱Ｐｓで支持している。
【００１０】
図９及び図１０に示されたような電柱支持装置としては、支柱に対する取り付け位置が制約されないように、本柱に対して支柱の傾斜角度を自由に設定できる電柱支持装置が開示されている（例えば、特許文献１参照）。
【００１１】
特許文献１による電柱支持装置は、本柱の軸方向に対して支柱の軸方向が略直交するように、支柱の先端縁（球状の先端縁）が本柱の外周に当接した状態から、本柱に対して、本柱の軸方向と支柱の軸方向が略平行になるまで、支柱が移動できるように、本柱側の連結枠体と支柱側の連結枠体とが連結する回動軸を本柱側寄りに設定している。
【先行技術文献】
【特許文献】
【００１２】
【特許文献１】特開平１１−１２２７７０号公報
【発明の概要】
【発明が解決しようとする課題】
【００１３】
今日では、電柱は、コンクリート柱が多用されている。そして、このコンクリート柱は、基端部から先端部に至るまでの直径が同じではなく、基端部から先端部に向けて直径が漸次、縮小している。一般に、コンクリート柱は、１／７５のテーパー率（長さに対する直径の増加率）を有している。なお、一般的に、上述した支柱も同様のテーパー率を有するコンクリート柱が用いられている。
【００１４】
したがって、図１０に示されたような、一対の帯状の締付バンド片で支柱Ｐｓの外周を締め付ける従来の電柱支持装置の構造では、支柱Ｐｓに加わる振動や荷重（自重を含む）に起因して、支柱Ｐｓに対して支柱側取り付け具９２が先端部側に移動して、支柱Ｐｓに対して支柱側取り付け具９２が緩む傾向がある。
【００１５】
図１１は、図１０の平面図であり、図１１（Ａ）に示されるように、支柱Ｐｓに対して支柱側取り付け具９２が緩むと、支柱Ｐｓには、本柱Ｐｂに対して一方の方向に旋回するような力が働く。これに起因して、本柱Ｐｂに対して本柱側取り付け具９１が回転する。そして、図１１（Ｂ）に示されるように、本柱Ｐｂを支持する位置から支柱Ｐｓが移動してしまうという問題がある。
【００１６】
図１１（Ｂ）に示されるように、本柱Ｐｂを支持する当初の位置から支柱Ｐｓが移動すると、電線などの張力で本柱Ｐｂが倒れないように、本柱を傾斜した支柱によって支持する支柱本来の機能が損なわれるという問題がある。又、これに起因して、電柱支持装置９０には、不適切な応力が作用して、破損に至るという心配がある。電柱である本柱を傾斜した支柱によって確実に支持する電柱支持装置が求められている。そして、以上のことが本発明の課題といってよい。
【００１７】
本発明は、このような課題に鑑みてなされたものであり、電柱である本柱を傾斜した支柱によって確実に支持する電柱支持装置を提供することを目的とする。
【課題を解決するための手段】
【００１８】
本発明者は、本柱に取り付けた本柱側取り付け具と支柱に取り付けた支柱側取り付け具とを連結した電柱支持装置であって、支柱側取り付け具を一対の帯状のバンド部材とＣ形チャンネル状の連結枠体で構成し、一方のバンド部材と支柱の外周との間に配置される板ナットを設け、一方のバンド部材を挟持するように、板ナットにボルトを締結し、このボルトとねじ部が支柱の先端部側に設けた腕金取り付け用の貫通穴に挿入されることにより、本柱を傾斜した支柱に確実に支持することが可能なことを見出し、これに基づいて、以下のような新たな電柱支持装置を発明するに至った。
【００１９】
（１）本発明による電柱支持装置は、電柱である本柱を傾斜した支柱によって支持する電柱支持装置であって、前記本柱の上部側に取り付けられる第１取り付け具と、前記支柱の先端部側に取り付けられる第２取り付け具と、前記第１取り付け具と前記第２取り付け具とを連結する連結部材と、を備え、前記第１取り付け具は、前記本柱の外周を包囲するように締結する一対の帯状の第１バンド部材と、これらの第１バンド部材に連結するＣ形チャンネル状の第１連結枠体と、を有し、前記第２取り付け具は、前記支柱の外周を包囲するように締結する一対の帯状の第２バンド部材と、これらの第２バンド部材に連結するＣ形チャンネル状の第２連結枠体と、一方の前記第２バンド部材と前記支柱の外周との間に配置される板ナットと、この板ナットに締結するボルトと、を有し、一方の前記第２バンド部材は、その長手方向に沿って、前記ボルトのねじ部が挿入可能な長穴を幅方向の中央部に有し、前記板ナットは、中央部に設けられ、前記ボルトのねじ部が螺合可能な雌ねじ部と、一方の前記第２バンド部材の幅方向の両端縁に嵌合すると共に、一方の面の両翼に突出する一対の段差と、を有し、一方の前記第２バンド部材を挟持するように、前記板ナットに前記ボルトを締結した状態では、前記ボルトのねじ部は、前記板ナットの他方の面から突出して、前記支柱の先端部側に設けた腕金取り付け用の貫通穴に挿入されている。
【００２０】
（２）本発明による電柱支持装置は、前記板ナット及び前記ボルトをそれぞれ二つ有し、前記支柱の軸中心を間に対向するように、一対の前記板ナットを配置し、一方の前記第２バンド部材を挟持するように、前記板ナットに前記ボルトを締結した状態では、前記ボルトのねじ部は、前記板ナットの他方の面から突出して、前記貫通穴の両端部側から挿入されていてもよい。
【００２１】
（３）前記ボルトの頭部の座面の直径は、一方の前記第２バンド部材の幅と略同じになっていることが好ましい。
【００２２】
（４）前記ボルトの頭部の座面が接触する、一方の前記第２バンド部材の一方の面は、摩擦係数の大きい粗面加工が施されていることが好ましい。
【００２３】
（５）一方の前記第２バンド部材は、前記支柱の半周面を囲うように中央部が円弧状に湾曲した締付バンドと、この締付バンドの両端部側に形成され、相反する向きに屈曲した第１把持片にねじ部材とナットで締結される一対の連結バンドと、を有し、この連結バンドは、一端部側に形成され、前記第１把持片に締結される第２把持片と、他端部側に環状に形成され、前記第２連結枠体と軸ピンで連結するループ片と、を設けていることが好ましい。
【発明の効果】
【００２４】
本発明による電柱支持装置は、本柱の上部側に取り付けた第１取り付け具と支柱の先端部側に取り付けた第２取り付け具とを連結した電柱支持装置であって、第２取り付け具を一対の帯状のバンド部材とＣ形チャンネル状の連結枠体で構成し、一方のバンド部材と支柱の外周との間に配置される板ナットを設け、一方のバンド部材を挟持するように、板ナットにボルトを締結し、このボルトのねじ部が支柱の先端部側に設けた腕金取り付け用の貫通穴に挿入されることにより、支柱に対して第２取り付け具の緩みを防止できる。したがって、電柱である本柱を傾斜した支柱によって確実に支持できる。
【００２５】
又、本発明による電柱支持装置は、一方の第２バンド部材がその長手方向に沿って、ボルトのねじ部が挿入可能な長穴を幅方向の中央部に有するので、腕金取り付け用の貫通穴の方向に制約されないという利点がある。
【図面の簡単な説明】
【００２６】
【図１】本発明の一実施形態による電柱支持装置の構成を示す正面図である。
【図２】前記実施形態による電柱支持装置に備わる第２連結枠体を支柱の取り付け面側から観た斜視図である。
【図３】前記実施形態による電柱支持装置の構成を示す平面図であり、一本のボルトが任意の角度で支柱の貫通穴に挿入されている状態図である。
【図４】前記実施形態による電柱支持装置に備わる他方の第２バンド部材の構成を示す平面図である。
【図５】前記実施形態による電柱支持装置に備わる一方の第２バンド部材の構成を示す斜視分解組立図である。
【図６】前記実施形態による電柱支持装置に備わる一方の第２バンド部材の要部を拡大した縦断面図である。
【図７】前記実施形態による電柱支持装置の構成を示す平面図であり、二本のボルトが任意の角度で支柱の貫通穴の両端部側から挿入されている状態図である。
【図８】実施形態による電柱支持装置の概略構成を示す平面図である。
【図９】電柱である本柱を傾斜した支柱によって支持した一例を示す配置図である。
【図１０】図９の要部拡大図であり、従来の電柱支持装置の構成を示す正面図である。
【図１１】図１０の平面図であり、図１１（Ａ）は、本柱に対して支柱が旋回する前の状態図、図１１（Ｂ）は、本柱に対して支柱が旋回した状態図である。
【発明を実施するための形態】
【００２７】
以下、図面を参照して本発明を実施するための形態を説明する。
［電柱支持装置の構成］
最初に、本発明の一実施形態による電柱支持装置の構成を説明する。
【００２８】
図１は、本発明の一実施形態による電柱支持装置の構成を示す正面図である。図２は、前記実施形態による電柱支持装置に備わる第２連結枠体を支柱の取り付け面側から観た斜視図である。図３は、前記実施形態による電柱支持装置の構成を示す平面図であり、一本のボルトが任意の角度で支柱の貫通穴に挿入されている状態図である。図４は、前記実施形態による電柱支持装置に備わる他方の第２バンド部材の構成を示す平面図である。
【００２９】
図１又は図３及び図４を参照すると、本発明の実施形態による電柱支持装置１０は、電柱である本柱Ｐｂを傾斜した支柱Ｐｓによって支持している。電柱支持装置１０は、第１取り付け具１と第２取り付け具２を備えている。第１取り付け具１は、本柱Ｐｂの上部側に取り付けている。第２取り付け具２は、支柱Ｐｓの先端部側に取り付けている。又、電柱支持装置１０は、連結部材となるボルト３を備えている。ボルト３は、第１取り付け具１と第２取り付け具２とを連結している。
【００３０】
図１又は図３及び図４を参照すると、第１取り付け具１は、一対の帯状の第１バンド部材１１・１１とＣ形チャンネル状の第１連結枠体１２を有している。第１バンド部材１１は、本柱Ｐｂの外周を包囲するように締結している。第１連結枠体１２は、一対の第１バンド部材１１・１１に連結している。
【００３１】
図１から図４を参照すると、第２取り付け具２は、一対の帯状の第２バンド部材２０・２１とＣ形チャンネル状の第２連結枠体２２を有している。一方の第２バンド部材２０は、支柱Ｐｓの外周を包囲するように締結している。同様に、他方の第２バンド部材２１は、支柱Ｐｓの外周を包囲するように締結している。第２連結枠体２２は、一対の第２バンド部材２０・２１に連結している。
【００３２】
図１又は図３及び図４を参照すると、第１連結枠体１２は、第１中央部片１２ａと一対の対向する第１側部片１２ｂ・１２ｂを設けている。第１中央部片１２ａは、本柱Ｐｂの軸方向と略平行に延びている。又、第１中央部片１２ａは、その外面が湾曲しており、本柱Ｐｂの外周に部分的に当接できる。
【００３３】
図１又は図３及び図４を参照すると、一対の第１側部片１２ｂ・１２ｂは、第１中央部片１２ａの両翼が略直角に折り曲げられて、略平行に延びている。そして、一対の第１側部片１２ｂ・１２ｂは、ボルト３が挿入される第１係合穴（図示せず）を端部に開口している。
【００３４】
図１又は図３を参照すると、第１バンド部材１１は、一対の分割された締付バンド片１１ａ・１１ａで構成している。これらの締付バンド片１１ａ・１１ａは、本柱Ｐｂの外周をその両側から囲うように、中央部が円弧状に湾曲している。
【００３５】
図１又は図３及び図４を参照すると、一対の締付バンド片１１ａ・１１ａは、それらの一端部側に挟持片１１ｂ・１１ｂを形成している。これらの挟持片１１ｂ・１１ｂは、ボルト部材１１ｖとナット１１ｎとで締結している。又、一対の締付バンド片１１ａ・１１ａは、それらの他端部側に環状に形成されたループ片１１ｃ・１１ｃを有している（図３参照）。これらのループ片１１ｃ・１１ｃは、軸ピン１１ｐが貫通されて、第１連結枠体１２に連結できる。
【００３６】
図１又は図３及び図４を参照すると、第１連結枠体１２は、一対のＣ形チャンネル状の本柱取り付け脚１３・１３を更に備えている。本柱取り付け脚１３は、第１中央部片１２ａの幅方向を横断するように配置されている。実施形態では、本柱取り付け脚１３は、第１連結枠体１２に溶接で結合している。そして、本柱取り付け脚１３は、その両端部が第１中央部片１２ａの幅方向に突出している。
【００３７】
又、図１又は図３及び図４を参照すると、本柱取り付け脚１３は、湾曲した端縁１３ａと軸ピン１１ｐが嵌合する嵌合穴（図示せず）を有している。端縁１３ａは、本柱Ｐｂの外周に部分的に当接できる。前記嵌合穴は、本柱取り付け脚１３の両端部に形成されている。前記嵌合穴とループ片１１ｃに設けた貫通穴を一致させて、軸ピン１１ｐを挿通すると、一対の締付バンド片１１ａ・１１ａと本柱取り付け脚１３を連結できる（図１又は図４参照）。
【００３８】
一方、図１から図４を参照すると、第２連結枠体２２は、第２中央部片２２ａと一対の対向する第２側部片２２ｂ・２２ｂを設けている。第２中央部片２２ａは、支柱Ｐｓの軸方向と略平行に延びている。又、第２中央部片２２ａは、その外面が湾曲しており、支柱Ｐｓの外周に部分的に当接できる。
【００３９】
図１又は図４を参照すると、一対の第２側部片２２ｂ・２２ｂは、第２中央部片２２ａの両翼が略直角に折り曲げられて、略平行に延びている。そして、一対の第２側部片２２ｂ・２２ｂは、ボルト３が挿入される第２係合穴（図示せず）を端部に開口している。
【００４０】
図１又は図４を参照すると、他方の第２バンド部材２１は、一対の分割された締付バンド片２１ａ・２１ａで構成している。これらの締付バンド片２１ａ・２１ａは、支柱Ｐｓの外周をその両側から囲うように、中央部が円弧状に湾曲している。なお、一方の第２バンド部材２０の構成は、後述する。
【００４１】
図１又は図４を参照すると、一対の締付バンド片２１ａ・２１ａは、それらの一端部側に挟持片２１ｂ・２１ｂを形成している。これらの挟持片２１ｂ・２１ｂは、ボルト部材２１ｖとナット２１ｎとで締結している。又、一対の締付バンド片２１ａ・２１ａは、それらの他端部側に環状に形成されたループ片２１ｃ・２１ｃを有している。これらのループ片２１ｃ・２１ｃは、軸ピン２１ｐが貫通されて、第２連結枠体２２に連結できる。
【００４２】
図１から図４を参照すると、第２連結枠体２２は、一対のＣ形チャンネル状の支柱取り付け脚２３・２３を更に備えている。支柱取り付け脚２３は、第２中央部片２２ａの幅方向を横断するように配置されている。実施形態では、支柱取り付け脚２３は、第２連結枠体２２に溶接で結合している。そして、支柱取り付け脚２３は、その両端部が第２中央部片２２ａの幅方向に突出している。
【００４３】
又、図２を参照すると、支柱取り付け脚２３は、湾曲した端縁２３ａと軸ピン２１ｐが嵌合する嵌合穴２３ｈを有している。端縁２３ａは、支柱Ｐｓの外周に部分的に当接できる。嵌合穴２３ｈは、支柱取り付け脚２３の両端部に形成されている。嵌合穴２３ｈとループ片２１ｃの穴を一致させて、軸ピン２１ｐを挿通すると、一対の締付バンド片２１ａ・２１ａと支柱取り付け脚２３を連結できる（図１又は図４参照）。
【００４４】
図１から図４を参照すると、第１連結枠体１２と第２連結枠体２２とは、同じものであるが、説明の便宜上符号を変えて区別した。又、ボルト部材１１ｖ及びナット１１ｎとボルト部材２１ｖ及びナット２１ｎとは、同じものであるが、説明の便宜上符号を変えて区別した。同様に、軸ピン１１ｐと軸ピン２１ｐとは、同じものであるが、説明の便宜上符号を変えて区別した。
【００４５】
引き続き、実施形態による電柱支持装置１０の構成を説明する。図５は、前記実施形態による電柱支持装置に備わる一方の第２バンド部材の構成を示す斜視分解組立図である。図６は、前記実施形態による電柱支持装置に備わる一方の第２バンド部材の要部を拡大した縦断面図である。図７は、前記実施形態による電柱支持装置の構成を示す平面図であり、二本のボルトが任意の角度で支柱の貫通穴の両端部側から挿入されている状態図である。
【００４６】
図３又は図５を参照すると、一方の第２バンド部材２０は、締付バンド２０１と一対の連結バンド２０２・２０２で構成している。締付バンド２０１は、支柱Ｐｓの半周面を囲うように、中央部が円弧状に湾曲している。又、締付バンド２０１は、その両端部側に形成され、相反する向きに屈曲した一対の第１把持片２１１・２１１を有している。
【００４７】
又、図５を参照すると、連結バンド２０２は、一端部側に形成された第２把持片２１２と、他端部側に環状に形成されたループ片２２２を有している。第２把持片２１２は、第１把持片２１１に近接するように、皿ねじ２０ｓとナット（図示せず）で挟持されている。ループ片２２２は、第２連結枠体２２と軸ピン２１ｐで連結することができる（図１参照）。
【００４８】
図１又は図３及び図５又は図６を参照すると、第２取り付け具２は、板ナット２０ｎとボルト２０ｖを更に備えている。板ナット２０ｎは、一方の第２バンド部材２０と支柱Ｐｓの外周との間に配置されている。板ナット２０ｎは、ボルト２０ｖのねじ部が螺合可能な雌ねじ部２ｆｓを中央部に設けている（図５参照）。そして、ボルト２０ｖは、板ナット２０ｎに締結することができる（図６参照）。
【００４９】
図３及び図５を参照すると、第２把持片２１２が第１把持片２１１に近接するように、皿ねじ２０ｓとナット（図示せず）で挟持すると、締付バンド２０１の略平行に延びる両端部が湾曲するように変形して、支柱Ｐｓの外周を半周以上密着できる。
【００５０】
図５を参照すると、締付バンド２０１は、その長手方向に沿って、ボルト２０ｖのねじ部が挿入可能な長穴２０ｈを幅方向の中央部に有している。又、図５及び図６を参照すると、板ナット２０ｎは、一方の面の両翼に突出する一対の段差２０ｄ・２０ｄを有している。そして、図６に示されるように、これらの段差２０ｄ・２０ｄの間に、一方の第２バンド部材２０の幅方向の両端縁を嵌合できる。
【００５１】
図５又は図６を参照すると、ボルト２０ｖの頭部の座面の直径は、一方の第２バンド部材２０（締付バンド２０１）の幅と略同じになっていることが好ましい。又、ボルト２０ｖの頭部の座面が接触する、締付バンド２０１の一方の面は、摩擦係数の大きい粗面加工が施されていることが好ましい。これにより、振動などによるボルト２０ｖの緩みを防止できる。
【００５２】
図６を参照すると、一方の第２バンド部材２０を挟持するように、板ナット２０ｎにボルト２０ｖを締結している。図６に示された状態では、ボルト２０ｖのねじ部は、板ナット２０ｎの他方の面から突出して、支柱Ｐｓの先端部側に設けた腕金取り付け用の貫通穴４ｈに挿入している。
【００５３】
図３又は図５を参照して、支柱Ｐｓの先端部側に設けた腕金９ａ（図９参照）を取り付けるための貫通穴４ｈと板ナット２０ｎに設けた雌ねじ部２ｆｓとを一致させて、締付バンド２０１を挟持するためにボルト２０ｖを板ナット２０ｎに締結し、更にボルト２０ｖのねじ部を貫通穴４ｈに挿入することにより、支柱Ｐｓに対して第２取り付け具２の緩みを防止できる。
【００５４】
図７を参照して、電柱支持装置１０は、板ナット２０ｎ及びボルト２０ｖをそれぞれ二つ有している。図７を参照すると、支柱Ｐｓの軸中心を間に対向するように、一対の板ナット２０ｎ・２０ｎを配置している。
【００５５】
図７に示すように、貫通穴４ｈと板ナット２０ｎに設けた雌ねじ部２ｆｓとを一致させて（図５参照）、締付バンド２０１を挟持するためにボルト２０ｖを板ナット２０ｎに締結し、更にボルト２０ｖのねじ部を貫通穴４ｈの両端部側から挿入することにより、支柱Ｐｓに対して第２取り付け具２の緩みをより堅固に防止できる。
【００５６】
［電柱支持装置の作用］
次に、実施形態による電柱支持装置１０の組立手順の一例を説明しながら、電柱支持装置１０の構成を補足すると共に、電柱支持装置１０の作用及び効果を説明する。図８は、実施形態による電柱支持装置の概略構成を示す平面図である。
【００５７】
図１又は図４を参照して、最初に、第１取り付け具１を組み立てる。一対の締付バンド片１１ａ・１１ａが開いた状態で、ループ片１１ｃに設けた貫通穴と本柱取り付け脚１３の端部に設けた嵌合穴を一致させて、軸ピン１１ｐを挿入する。次に、軸ピン１１ｐの先端部に抜け止め用のピンを圧入して、一対の締付バンド片１１ａ・１１ａを第１連結枠体１２に連結できる。
【００５８】
次に、図４を参照して、本柱Ｐｂの外周を囲うように、一対の締付バンド片１１ａ・１１ａを閉じて、互いの挟持片１１ｂ・１１ｂを対向させる。次に、これらの挟持片１１ｂ・１１ｂが互いに近づくように、ボルト部材１１ｖとナット１１ｎで締結する。これにより、第１取り付け具１を本柱Ｐｂの上部側に固定できる。
【００５９】
次に、図１から図４を参照して、第２取り付け具２の他方の第２バンド部材２１を組み立てる。一対の締付バンド片２１ａ・２１ａが開いた状態で、ループ片２１ｃに設けた貫通穴と支柱取り付け脚２３の端部に設けた嵌合穴２３ｈを一致させて、軸ピン２１ｐを挿入する。次に、軸ピン２１ｐの先端部に抜け止め用のピンを圧入して、一対の締付バンド片２１ａ・２１ａを第２連結枠体２２に連結できる。
【００６０】
次に、図１又は図３を参照して、支柱Ｐｓの外周を囲うように、一対の締付バンド片２１ａ・２１ａを閉じて、互いの挟持片２１ｂ・２１ｂを対向させる。次に、これらの挟持片２１ｂ・２１ｂが互いに近づくように、ボルト部材２１ｖとナット２１ｎで締結する。この場合、これらの挟持片２１ｂ・２１ｂを緩やかに締結しておくことが好ましく、第２取り付け具２を支柱Ｐｓの先端部側に仮固定する。
【００６１】
次に、第２取り付け具２の一方の第２バンド部材２０を組み立てる。図３又は図５を参照して、一対の連結バンド２０２・２０２が開いた状態で、ループ片２２２に設けた貫通穴と支柱取り付け脚２３の端部に設けた嵌合穴２３ｈを一致させて、軸ピン２１ｐを挿入する。次に、軸ピン２１ｐの先端部に抜け止め用のピンを圧入して、一対の連結バンド２０２・２０２を第２連結枠体２２に連結できる。
【００６２】
次に、図３又は図５を参照して、支柱Ｐｓの外周を囲うように、一対の連結バンド２０２・２０２を閉じると共に、一対の連結バンド２０２・２０２と締付バンド２０１を対向させる。次に、第１把持片２１１と第２把持片２１２が互いに近づくように、皿ねじ２０ｓとナットで締結する。この場合、貫通穴４ｈと板ナット２０ｎに設けた雌ねじ部２ｆｓとを一致させて、板ナット２０ｎを締付バンド２０１と支柱Ｐｓの外周との間に配置しておくことが好ましい。
【００６３】
次に、図３又は図５に示すように、締付バンド２０１を挟持するためにボルト２０ｖを板ナット２０ｎに締結し、更にボルト２０ｖのねじ部を貫通穴４ｈに挿入することにより、支柱Ｐｓに対して第２取り付け具２の緩みを防止できる。
【００６４】
次に、図１又は図３に示すように、第１連結枠体１２に設けた第１係合穴（図示せず）と第２連結枠体２２に設けた第２係合穴（図示せず）とを一致させて、ボルト３を挿入し、更にナット３ｎを締結して、第１取り付け具１と第２取り付け具２とを連結する。
【００６５】
図３を参照すると、一対の第２側部片２２ｂ・２２ｂの間には、内部が第２係合穴に連通するパイプ部材３ｃが溶接されており、第１連結枠体１２と第２連結枠体２２とをボルト３とナット３ｎで相当程度まで堅く締結できる。そして、第２取り付け具２を支柱Ｐｓの先端部側に本固定し、一連の組立作業を終了する。なお、上述した組立手順は、一例を示したものであって、これに限定されない。適宜な組立手順を選択できる。
【００６６】
図１から図４を参照すると、実施形態による電柱支持装置１０は、本柱Ｐｂの上部側に取り付けた第１取り付け具１と支柱Ｐｓの先端部側に取り付けた第２取り付け具２とを連結している。又、実施形態による電柱支持装置１０は、第２取り付け具２を一対の帯状の第２バンド部材２０・２１とＣ形チャンネル状の第２連結枠体２２で構成している。
【００６７】
図１から図７を参照すると、実施形態による電柱支持装置１０は、一方の第２バンド部材２０と支柱Ｐｓの外周との間に配置される板ナット２０ｎを設け、一方の第２バンド部材２０を挟持するように、板ナット２０ｎにボルト２０ｖを締結し、ボルト２０ｖのねじ部が支柱Ｐｓの先端部側に設けた腕金取り付け用の貫通穴４ｈに挿入されることにより、第２取り付け具２が支柱Ｐｓの先端部側に移動することを防止できる。
【００６８】
このように、実施形態による電柱支持装置１０は、支柱Ｐｓに対する第２取り付け具２の緩みを防止できる。したがって、図８に示されるように、支柱Ｐｓは、本柱Ｐｂに対して一方の方向に旋回することが防止され、電柱である本柱Ｐｂを傾斜した支柱Ｐｓによって確実に支持できる。
【００６９】
又、図３及び図５を参照すると、実施形態による電柱支持装置１０は、一方の第２バンド部材２０がその長手方向に沿って、ボルト２０ｖのねじ部が挿入可能な長穴２０ｈを幅方向の中央部に有するので、腕金取り付け用の貫通穴４ｈの方向に制約されないという利点がある。つまり、支柱Ｐｓの施工が容易になるといる利点がある。
【００７０】
本発明の実施形態による電柱支持装置を用いて、工事を実施すれば、電柱である本柱を傾斜した支柱によって確実に支持できるので、本柱が電線などの張力で倒れないようにでき、信頼性及び安全性が向上する。
【００７１】
又、本発明の実施形態による電柱支持装置を用いることによって、電柱の傾倒が抑制され、改修工事に伴う費用を削減できる。
【００７２】
本発明は、テーパーを有するコンクリート柱に好適な電柱支持装置を開示したが、実施形態による電柱支持装置は、テーパーを有する鋼管柱にも適用できる。又、このコンクリート柱は、送電、配電、通信及び信号などを用途としてもよく、鉄道又は軌道における電線路を用途としてもよい。
【００７３】
又、実施形態による電柱支持装置は、第２取り付け具を支柱にボルトで回転止めしているが、更に、第１取り付け具を本柱にボルトで回転止めしてもよい。
【符号の説明】
【００７４】
１  第１取り付け具
２  第２取り付け具
２ｆｓ  雌ねじ部
３  ボルト（連結部材）
４ｈ  貫通穴
１０  電柱支持装置
１１  第１バンド部材
１２  第１連結枠体
２０  第２バンド部材（一方の第２バンド部材）
２０ｄ・２０ｄ  一対の段差
２０ｈ  長穴
２０ｎ  板ナット
２０ｓ  皿ねじ（ねじ部材）
２０ｖ  ボルト
２１  第２バンド部材（他方の第２バンド部材）
２２  第２連結枠体
Ｐｂ  本柱
Ｐｓ  支柱
【図１】
2012149470.tif 000003
【図２】
2012149470.tif 000004
【図３】
2012149470.tif 000005
【図４】
2012149470.tif 000006
【図５】
2012149470.tif 000007
【図６】
2012149470.tif 000008
【図７】
2012149470.tif 000009
【図８】
2012149470.tif 000010
【図９】
2012149470.tif 000011
【図１０】
2012149470.tif 000012
【図１１】
2012149470.tif 000013